(57)【要約】    【課題】  屋根板同士をより強固に連結することができる長尺屋根板を提供することである。    【解決手段】  第１縁部に向かうに従って高くなるように傾斜が設けられた第１傾斜部分と、第２縁部に向かうに従って高くなるように傾斜が設けられた第２傾斜部分とを備え、第１傾斜部分の先端が垂直方向上方に折り立てられ、次いで横向き内方に折り曲げられた後に折り返して二枚重ねとすることにより外方に開放した溝部を形成し、更に裾縁が横向き内方に折り返されて補強縁部が形成されており、第２傾斜部分の先端が垂直方向上方に折り立てられ、次いで横向き外方に折り曲げられて、ほぼ逆Ｌ字形の横断面を有する被接部を形成し、更に裾縁が下方に折り返されて引掛縁が形成されており、被接部に、長手方向に延び、下方に突出した第１突出部が設けられている長尺屋根板が提供される。【選択図】  図１
0003124645.tif 000002
【実用新案登録請求の範囲】
【請求項１】
横長の金属板で作られた長尺屋根板であって、
第１縁部に沿って配置され、前記第１縁部に向かうに従って高くなるように傾斜が設けられた第１傾斜部分と、
第２縁部に沿って配置され、前記第２縁部に向かうに従って高くなるように傾斜が設けられた第２傾斜部分とを備え、
前記第１傾斜部分の先端が垂直方向上方に折り立てられ、次いで横向き内方に折り曲げられた後に折り返して二枚重ねとすることにより外方に開放した溝部を形成し、更に裾縁が横向き内方に折り返されて補強縁部が形成されており、
前記第２傾斜部分の先端が垂直方向上方に折り立てられ、次いで横向き外方に折り曲げられて、ほぼ逆Ｌ字形の横断面を有する被接部を形成し、更に裾縁が下方に折り返されて引掛縁が形成されており、
前記被接部に、長尺屋根板の長手方向に延び、下方に突出した１又は複数の第１突出部が設けられていることを特徴とする長尺屋根板。
【請求項２】
前記第１傾斜部と前記第２傾斜部に、長尺屋根板の長手方向に延び、下方に突出した第２突出部がそれぞれ設けられていることを特徴とする請求項１に記載の長尺屋根板。
【考案の詳細な説明】
【技術分野】
【０００１】
本考案は一般に、長尺屋根板に関する。より詳細には、本考案は、屋根板同士をより強固に連結することができる長尺屋根板に関する。
【背景技術】
【０００２】
従来、屋根葺き作業は、ハゼ締機等の特殊な機器を利用して行うハゼ締め作業によって施工されている。一方、本考案者は１箇所分の吊機能部をもつ吊子で葺き作業が可能となる屋根葺き方法を提案している（例えば、特許文献１参照）。
【０００３】
【特許文献１】特開平４−１４９３４８号公報
【考案の開示】
【考案が解決しようとする課題】
【０００４】
本考案は、上述の特開平４−１４９３４８号公報に記載された方法および長尺屋根板を改良発展させたものであって、屋根板同士をより強固に連結することができる長尺屋根板を提供するものである。
【課題を解決するための手段】
【０００５】
本願請求項１に記載の長尺屋根板は、第１縁部に沿って配置され、前記第１縁部に向かうに従って高くなるように傾斜が設けられた第１傾斜部分と、第２縁部に沿って配置され、前記第２縁部に向かうに従って高くなるように傾斜が設けられた第２傾斜部分とを備え、前記第１傾斜部分の先端が垂直方向上方に折り立てられ、次いで横向き内方に折り曲げられた後に折り返して二枚重ねとすることにより外方に開放した溝部を形成し、更に裾縁が横向き内方に折り返されて補強縁部が形成されており、前記第２傾斜部分の先端が垂直方向上方に折り立てられ、次いで横向き外方に折り曲げられて、ほぼ逆Ｌ字形の横断面を有する被接部を形成し、更に裾縁が下方に折り返されて引掛縁が形成されており、前記被接部に、長尺屋根板の長手方向に延び、下方に突出した１又は複数の第１突出部が設けられていることを特徴とするものである。
【０００６】
本願請求項２に記載の長尺屋根板は、前記請求項１の長尺屋根板において、前記第１傾斜部と前記第２傾斜部に、長尺屋根板の長手方向に延び、下方に突出した第２突出部がそれぞれ設けられていることを特徴とするものである。
【考案の効果】
【０００７】
本考案によれば、長尺屋根板１０の被接部２０に第１突出部２４を設けたことにより、防水テープ３０の接着効果を高めることができるとともに、被接部２０の強度を高めることもできる。また、第１傾斜部分１２および第２傾斜部分１６に第２突出部２６を設けたことにより、補強効果が期待できるとともに、一種の伸縮継手となって屋根板の不陸調整を行うことができる。
【考案を実施するための最良の形態】
【０００８】
次に図面を参照して、本考案の好ましい実施の形態に係る長尺屋根板について説明する。図１は、本考案の好ましい実施の形態に係る長尺屋根板を示した斜視図である。図１において全体として参照符号１０で示される本考案の好ましい実施の形態に係る長尺屋根板は、所定の寸法を有する横長の金属板で作られている。
【０００９】
長尺屋根板１０は、第１縁部に沿って配置され、第１縁部に向かうに従って高くなるように傾斜が設けられた第１傾斜部分１２を備えている。
【００１０】
長尺屋根板１０は、第１傾斜部分１２の先端が垂直方向上方に折り立てられている。折り立てられた部分１４は、その先端が横向き内方に折り曲げられた後に折り返されて二枚重ねとなっており、これにより外方に開放した溝部１４ａが形成されている。折り立てられた部分１４は、更に、その裾縁が横向き内方に更に折り返されて補強縁部１４ｂが形成されている。
【００１１】
長尺屋根板１０は又、第２縁部に沿って配置され、第２縁部に向かうに従って高くなるように傾斜が設けられた第２傾斜部分１６を備えている。
【００１２】
長尺屋根板１０は、第２傾斜部分１６の先端が垂直方向上方に折り立てられている。折り立てられた部分１８は、その先端が横向き外方に折り曲げられて、ほぼ逆Ｌ字形の横断面を有する被接部２０を形成している。折り立てられた部分１８は、更に、その裾縁が延長され、下方に折り返されて引掛縁２２となっている。
【００１３】
長尺屋根板１０の被接部２０には、長尺屋根板１０の長手方向に延び、下方に突出した第１突出部２４が設けられている。なお、図３では、第１突出部２４が半円形の横断面形状を有するものとして図示されているが、他の形状、例えば台形や三角形の横断面を有するものとして形成してもよい。
【００１４】
好ましくは、第１傾斜部分１２および第２傾斜部分１６には、長尺屋根板１０の長手方向に延び、下方に突出した第２突出部２６がそれぞれ設けられている。第２突出部２６は、半円形の横断面形状を有するものとして図示されている（図２及び図３参照）が、第１突出部２４と同様に、台形や三角形などの他の横断面形状を有するものとして形成してもよい。
【００１５】
次に、以上のように構成された長尺屋根板１０の使用について説明する。まず、下地材の所望の箇所に吊子２８を釘で固定する（図４（ａ）参照）。なお、吊子２８は、図４（ａ）に示されるように、上端がほぼコ字形に形作られているものを用いる。すなわち、吊子２８の上端は、上側水平部２８ａ、上側水平部の一端から垂直方向下方に延びた垂直部２８ｂ、及び垂直部２８ｂの下端から斜め下方に延びた下側傾斜部２８ｃからなるコ字形に形作られている。
【００１６】
次いで、吊子２８の上端の上側水平部２８ａに、或る長尺屋根板１０の溝部１４ａを嵌め込む（図４（ｂ）参照）。次いで、当該溝部１４ａを形成している二枚重ねの部分に防水テープ３０を貼る（図４（ｃ）参照）。次いで、防水テープ３０を貼った二枚重ねの部分に、隣接する長尺屋根板１０の被接部２０を被せる（図４（ｄ）参照）。しかる後、ハゼ締機（図示せず）等を用いて第２の長尺屋根板１０の被接部２０を締め付ける（図４（ｅ）参照）。
【００１７】
防水テープ３０としては通常、ブチルゴム系のテープが用いられる。ブチルゴム系のテープは、−５°Ｃ以下の低温になると接着力が低下するが、本発明の長尺屋根板１０では、図５に示されるように、被接部２０に設けた第１突出部２４が防水テープ３０に食い込んで防水テープ３０を押付けるので、防水テープ３０がしっかりと接着され、所望の防水効果が得られる。また、第１突出部２４には、補強効果を期待することもできる。さらに、第１傾斜部分１２および第２傾斜部分１６に設けられた第２突出部２６は、補強用リブとなるとともに、一種の伸縮継手となって屋根板の不陸調整を行うことができる。
【００１８】
以上の作業を繰り返すことにより、屋根葺き作業を実施することができる。
【００１９】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２０】
たとえば、前記実施の形態では、被接部２０に設けられている第１突出部２４は１つであるが、複数の第１突出部２４を被接部１０に設けてもよい。
【図面の簡単な説明】
【００２１】
【図１】本考案の好ましい実施の形態に係る長尺屋根板を示した斜視図である。
【図２】図１の部分Ａの拡大斜視図である。
【図３】図１の部分Ｂの拡大斜視図である。
【図４】図１の屋根板を使用した葺き方法の一連の工程を示した模式図である。
【図５】図４（ｄ）の部分５の拡大図である。
【符号の説明】
【００２２】
１０  長尺屋根板
１２  第１傾斜部分
１４  折り立てられた部分
１６  第２傾斜部分
１８  折り立てられた部分
２０  被接部
２２  引掛縁
２４  第１突出部
２６  第２突出部
２８  吊子
３０  防水テープ
【図１】
0003124645.tif 000003
【図２】
0003124645.tif 000004
【図３】
0003124645.tif 000005
【図４】
0003124645.tif 000006
【図５】
0003124645.tif 000007